(57)【要約】【課題】不正な使用者による使用を防ぎ、煩わしさの無く即座に作業者の情報を確認できる資格確認管理システム等を提供する。【解決手段】端末装置１０３は、個人別に資格情報登録を行い、靴底にＩＣタグ１０をセットしたＩＣタグ靴２０から読み取ったタグＩＤと資格情報を紐付けし、データベース３０１に保持し、資格情報をＩＣタグ１０に書き込む。ＩＣタグ貼付靴２０を履いた作業員がゲート通過すると、ゲート用端末装置１１３は、ゲート床下のタグリーダ１１５によりＩＣタグ１０から読み取った資格情報に基づき、通過資格を判定し、通過情報を表示し、端末装置１０３に送信する。不正通過の場合、警告灯１１２を点灯し、カメラ１１６で撮像し画像ログをとる。監視室１０２の端末装置１０３は、受け取った通過情報を表示し監視する。【選択図】図７
2008243133.tif 000002
【特許請求の範囲】
【請求項１】
ゲート外に設ける、利用者毎に配布される非接触ＩＣタグを靴底に貼り付けたまたは埋め込んだＩＣタグ貼付靴を発行するタグリーダライタを備え、ゲート通過状況を監視する監視用端末装置と、
立ち入りを制限するセキュリティ領域入口に設置されるゲートの通行方向の床下に設けるタグリーダと、そのタグリーダを備えるゲート用端末装置と、
前記ゲート出入口に設置され人体の通過を検知する感知センサと、警告灯と、を制御する制御装置と、
データベースを有し、利用者毎の資格情報を記憶、管理する管理サーバと、
がネットワークを介して接続され、前記非接触ＩＣタグから読み取った資格情報に基づいてゲート通過許可を行うシステムであって、
前記監視用端末装置は、
入力された利用者の資格情報と、前記ＩＣタグ貼付靴の非接触ＩＣタグから読み取ったタグＩＤと、を紐付けした情報を、前記データベースに登録、保持し、登録した資格情報を前記非接触ＩＣタグに書き込む資格登録手段と、
前記ゲート用端末装置から受け取った通過情報を表示し、ゲート通過状況を監視する監視手段と、
を備え、
前記ゲート用端末装置は、
前記感知センサが人体の通過を検知すると、前記ＩＣタグ貼付靴の非接触ＩＣタグから読み取った資格情報に基づいて通過を許可するか否かを判定し、読み取った資格情報、判定結果を有する通過情報を表示すると共に、前記監視用端末装置に送信するゲート通過手段と、
不正通過の場合、前記制御装置を介して、前記警告灯を点灯させる不正通過手段と、
を具備することを特徴とする資格確認管理システム。
【請求項２】
更に、前記監視用端末装置にジャーナルプリンタを備え、
前記資格登録手段は、
前記ジャーナルプリンタから、前記資格情報と前記非接触ＩＣタグを紐付けした情報を出力し、登録した利用者に知らせることを特徴とする請求項１記載の資格確認管理システム。
【請求項３】
前記ゲート用端末装置は、
前記通過情報を前記データベースに通過履歴情報として保持する履歴保持手段と、
を、更に具備することを特徴とする請求項１記載の資格確認管理システム。
【請求項４】
更に、前記データベースから取得した前記利用者の資格情報を表示し、前記ＩＣタグ貼付靴／前記非接触ＩＣタグの取替えによる前記タグＩＤと前記資格情報の再紐付けを行い、前記非接触ＩＣタグの再発行を行う手段、
を、具備することを特徴とする請求項１記載の資格確認管理システム。
【請求項５】
更に、前記制御装置にデジタルカメラを接続し、
前記不正通過手段は、
前記制御装置を介して、前記デジタルカメラに撮像指示を送信し、ゲート通過領域を撮像した画像を取得することを特徴とする請求項１記載の資格確認管理システム。
【請求項６】
前記ＩＣタグ貼付靴の代替として、前記非接触ＩＣタグを貼り付けたＩＣタグ貼付腕章を臨時発行し、前記ゲート両側面に設けたタグリーダにより前記非接触ＩＣタグから読み取った資格情報に基づいてゲート通過許可を行うことを特徴とする請求項１記載の資格確認管理システム。
【請求項７】
前記資格情報は、前記利用者の属性情報、保有資格、有効期間、申請日の情報を少なくとも１つを有することを特徴とする請求項１記載の資格確認管理システム。
【請求項８】
コンピュータを請求項１乃至請求項７いずれかに記載の資格確認管理システムとして機能させるプログラム。
【請求項９】
コンピュータを請求項１乃至請求項７いずれかに記載の資格確認管理システムとして機能させるプログラムを記録した記録媒体。
【発明の詳細な説明】
【技術分野】
【０００１】
本発明は、ネットワークを介して、非接触ＩＣ（Ｉｎｔｅｇｒａｔｅｄ Ｃｉｒｃｕｉｔ）タグを用いて、ゲート通過の管理を行う資格確認管理システムに関する。
【背景技術】
【０００２】
従来の入退室管理システムには、個人別に所有する非接触ＩＣタグカードまたは非接触ＩＣカードと、この非接触ＩＣタグまたはＩＣカードからＩＤを読み取るタグリーダを用いて、入室や通過許可を管理するシステムが実用化されている。
このようなシステムでは、利用者がＩＣタグカード等を携帯し、施設、建物の部外者の出入りが制限されている区域にゲートやタグリーダが設け、入室時には、入室者の非接触ＩＣタグのＩＤを読み取り、読み取ったＩＤに基づいて、通過許可を判断して管理する方法が一般的である。（例えば、特許文献１参照）。
また、ＩＣタグを用いて部外者の出入りを監視し、不正な侵入が確認されると、警報を発するように構成された部外者監視システムが提案されている。（例えば特許文献２等参照）。
【０００３】
【特許文献１】特開平１１−２０２９２９号公報
【特許文献２】特開２００３−３０３３８２号公報
【発明の開示】
【発明が解決しようとする課題】
【０００４】
しかしながら、従来のシステムでは、入室者は、常時、ネックストラップ等でカードを携帯し、タグリーダにかざす等の煩わしさがあった。また、ＩＣタグ自体が、保持者の本人確認をすることができないため、不正な使用を防ぐことができないという問題があった。
【０００５】
本発明は、以上の点に鑑みてなされたものであり、不正な使用者による使用を防ぎ、煩わしさの無く即座に作業者の情報を確認できる資格確認管理システム等を提供することを目的とする。
【課題を解決するための手段】
【０００６】
前述した目的を達成するために第１の発明は、ゲート外に設ける、利用者毎に配布される非接触ＩＣタグを靴底に貼り付けたまたは埋め込んだＩＣタグ貼付靴を発行するタグリーダライタを備え、ゲート通過状況を監視する監視用端末装置と、立ち入りを制限するセキュリティ領域入口に設置されるゲートの通行方向の床下に設けるタグリーダと、そのタグリーダを備えるゲート用端末装置と、前記ゲート入口に設置され人体の通過を検知する感知センサと警告灯とを制御する制御装置と、データベースを有し、利用者毎の資格情報を記憶、管理する管理サーバと、がネットワークを介して接続され、前記非接触ＩＣタグから読み取った資格情報に基づいてゲート通過許可を行うシステムであって、入力された利用者の資格情報と、前記ＩＣタグ貼付靴の非接触ＩＣタグから読み取ったタグＩＤと、を紐付けした情報を、前記データベースに登録、保持し、登録した資格情報を前記非接触ＩＣタグに書き込む資格登録手段と、前記ゲート用端末装置から受け取った通過情報を表示し、ゲート通過状況を監視する監視手段と、を備え、前記感知センサが人体の通過を検知すると、前記ＩＣタグ貼付靴の非接触ＩＣタグから読み取った資格情報に基づいて通過を許可するか否かを判定し、読み取った資格情報、判定結果を有する通過情報を表示すると共に、前記監視用端末装置に送信するゲート通過手段と、不正通過の場合、前記制御装置を介して、前記警告灯を点灯させる不正通過手段と、を具備することを特徴とする資格確認管理システムである。
【０００７】
また、更に、前記監視用端末装置にジャーナルプリンタを備え、前記資格登録手段は、前記ジャーナルプリンタから、前記資格情報と前記非接触ＩＣタグを紐付けした情報を出力し、登録した作業者に知らせることが望ましい。
また、前記ゲート用端末装置は、前記通過情報を前記データベースに通過履歴情報として保持する履歴保持手段とを、更に具備することが望ましい。
また、更に、前記データベースから取得した前記利用者の資格情報を表示し、前記ＩＣタグ貼付靴／前記非接触ＩＣタグの取替えによる前記タグＩＤと前記資格情報の再紐付けを行い、前記非接触ＩＣタグの再発行を行う手段とを、具備することが望ましい。
また、更に、前記制御装置にデジタルカメラを接続し、前記不正通過手段は、前記制御装置を介して、前記デジタルカメラに撮像指示を送信し、ゲート通過領域を撮像した画像を取得することが望ましい。
【０００８】
「資格情報」は、利用者の属性情報（氏名、所属部署、靴サイズ等）、保有資格、有効期間、申請日等の情報である。
【０００９】
第１の発明では、ＩＣタグ貼付靴を用いることにより、本人以外がＩＣタグを使用することが大幅に削減され、ＩＣタグ自体が、保持者の本人確認をすることができ、不正な使用を防ぐことができる。また、ＩＣタグカードを携帯する必要がなく、従来の煩わしさから開放される。
また、部外者の不正通過を確実に監視でき、ゲート通過時、通過者の情報を即座に表示でき、且つ、警報を発し、不正通過者のカメラ撮影することができるセキュリティ性に優れることを可能とする。
【００１０】
第２の発明は、コンピュータを第１の発明の資格確認管理システムとして機能させるプログラムである。
第３の発明は、コンピュータを第１の発明の資格確認管理システムとして機能させるプログラムを記録した記録媒体である。
【００１１】
上述のプログラムをＣＤ−ＲＯＭ等の記録媒体に保持させて流通させてもよいし、このプログラムを通信回線を介して送受することもできる。
【発明の効果】
【００１２】
本発明は、以上の点に鑑みてなされたものであり、不正な使用者による使用を防ぎ、煩わしさの無く即座に作業者の情報を確認できる資格確認管理システム等を提供することができる。
【発明を実施するための最良の形態】
【００１３】
以下に、添付図面を参照しながら、本発明に係る資格確認管理システム等の好適な実施形態について詳細に説明する。尚、以下の説明および添付図面において、略同一の機能構成を有する構成要素については、同一の符号を付することにより重複説明を省略することにする。
【００１４】
尚、本発明の、使用する「ＩＣタグ」は、一般的には基材上に形成されたアンテナパターンと、それに接続したＩＣチップとから構成されている「非接触ＩＣタグ」である（一般に、「非接触ＩＣ」、「非接触ＩＣラベル」、「非接触データキャリア」、「ＲＦＩＤタグ」と表現されることもある）。
【００１５】
図１は、本実施の形態に係る資格確認管理システム１００の概略構成を示す図である。図１は、資格確認管理システム１００の１例であり、図１に示すように、資格確認管理システム１００は、管理サーバ１０１、監視用の端末装置１０３、制御装置１１１、ゲート用の端末装置１１３、ネットワーク１０９等からなる。資格確認管理システム１００は、ネットワーク１０９を介して、管理サーバ１０１と、監視用の端末装置１０３と、ゲート用の端末装置１１３と、が接続されて構成される。監視用の端末装置１０３はゲート外の監視室１０２に設け、ゲート用の端末装置１１３はゲート近傍に設ける。
ネットワーク１０９は、インターネット、ローカルエリアネットワーク（ＬＡＮ）、社内ＬＡＮ等のネットワークであり、有線、無線を問わない。
【００１６】
管理サーバ１０１はパーソナルコンピュータ等であり、データ管理手段１２０、及びデータベース３０１等を有する。
データ管理手段１２０は、データベース３０１の情報を記憶、管理する。
情報データベース３０１には、作業者（利用者）毎の資格情報とタグＩＤを紐付けする情報、通過履歴情報等を登録、保持する。
【００１７】
監視室１０２の監視用の端末装置１０３は、パーソナルコンピュータ等であり、ジャーナルプリンタ１０４、タグリーダライタ１０５を備え、資格登録手段１２１、通過許可資格設定手段１２２、通過状況表示手段１２３、情報閲覧メンテナンス手段１２４等を有する。
資格登録手段１２１は、入力された作業者が有する資格情報３１０と、タグリーダライタ１０５によりＩＣタグ貼付靴２０のＩＣタグ１０から読み取ったタグＩＤとを紐付けした情報を、データベース３０１にタグ情報３２０として登録、保持し、登録した資格情報３１０をＩＣタグ１０に書き込む。ＩＣタグ貼付靴２０は、ＩＣタグ１０を靴底にセットしたものである。また、ジャーナルプリンタ１０４で、資格情報とタグＩＤとの紐付け内容を出力し、ＩＣタグ貼付靴２０と共に、該作業者に配布する。
通過許可資格設定手段１２２は、ゲート通過を許可する資格情報を指定、設定する。
通過状況表示手段１２３は、常時、ゲート用端末装置１１３から受け取った通過情報を表示し、ゲート通過状況を監視する。
情報閲覧メンテナンス手段１２４は、要求に応じて、データベース３０１に記憶されている作業者の資格情報３１０、通過履歴情報３３０を表示し、情報を帳票にて出力する。また、ＩＣタグ貼付靴２０や靴内のＩＣタグ１０の取替えにより、タグＩＤと資格情報の再紐付けを行い、ＩＣタグ１０の再発行を行う。
【００１８】
制御装置１１１は、人体の通過を検知する感知センサ１１２、ライトを点灯し警報ブザーを鳴動する警報灯１１４、ゲート近傍の高所に据え付けられた監視用のカメラ１１６を備える。
【００１９】
ゲート用の端末装置１１３は、パーソナルコンピュータ等であり、タグリーダ１１５を備え、ゲート通過手段１２５、不正通過手段１２６を有する。
ゲート通過手段１２５は、感知センサ１１２が人体の通過を検知すると、タグリーダ１１５により読み取ったＩＣタグ１０の資格情報に基づいて通過を許可するか否かを判定し、判定結果と読み取った資格情報からなる通過情報を表示し、監視用端末装置１０３に送信する。
不正通過手段１２６は、不正通過の場合、制御装置１１１を介して、警告灯１１４をライト点灯させ警報ブザーを鳴動させ、カメラ１１６でゲート通過エリアを撮像する。
【００２０】
次に、図２を参照しながら、管理サーバ１０１のハードウェア構成を説明する。図２は、管理サーバ１０１のハードウェア構成図である。
【００２１】
管理サーバ１０１は、制御部２０１、記憶部２０２、メディア入出力部２０３、通信制御部２０４、入力部２０５、表示部２０６、印刷部２０７等が、システムバス２０９を介して接続されて構成される。
【００２２】
制御部２０１は、ＣＰＵ（Ｃｅｎｔｒａｌ  Ｐｒｏｃｅｓｓｉｎｇ  Ｕｎｉｔ  ）、ＲＯＭ（Ｒｅａｄ  Ｏｎｌｙ  Ｍｅｍｏｒｙ  ）、ＲＡＭ（Ｒａｎｄｏｍ  Ａｃｃｅｓｓ  Ｍｅｍｏｒｙ）等で構成される。
【００２３】
ＣＰＵは、記憶部２０２、ＲＯＭ、記録媒体等に格納されるプログラムをＲＡＭ上のワークメモリ領域に呼び出して実行し、システムバス２０９を介して接続された各装置を駆動制御し、管理サーバ１０１が行うデータ管理手段１２０に相当する処理を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部２０２、ＲＯＭ、記録媒体等からロードしたプログラム、データ等を一時的に保持するとともに、制御部２０１が各種処理を行う為に使用するワークエリアを備える。
【００２４】
記憶部２０２は、ＨＤＤ（ハードディスクドライブ）であり、制御部２０１が実行するプログラム、プログラム実行に必要なデータ、ＯＳ（オペレーティングシステム）等が格納される。プログラムに関しては、ＯＳ（オペレーティングシステム）に相当する制御プログラム３９１や、本コンピュータを適用する管理サーバ１０１が行うデータ管理手段に相当するアプリケーションプログラム３９２等が格納されている。
これらの各プログラムコードは、制御部２０１により必要に応じて読み出されてＲＡＭに移され、ＣＰＵに読み出されて各種の手段として実行される。
【００２５】
メディア入出力部２０３（ドライブ装置）は、データの入出力を行い、例えば、フロッピディスクドライブ、ＰＤドライブ、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置等を有する。
【００２６】
通信制御部２０４は、通信制御装置、通信ポート等を有し、管理サーバ１０１とネットワーク１０９間の通信を媒介する通信インタフェースであり、通信回線１０９を介して、管理サーバ１０１と、監視用の端末装置１０３、ゲート用の端末装置１１３間の通信制御を行う。
【００２７】
入力部２０５は、データの入力を行い、例えば、キーボード、マウス等のポインティングデバイス、テンキー等の入力装置を有する。
入力部２０５を介して、管理サーバ１０１に対して、操作指示、動作指示、データ入力等を行うことができる。
【００２８】
表示部２０６は、ＣＲＴモニタ、液晶パネル等のディスプレイ装置、ディスプレイ装置と連携してコンピュータのビデオ機能を実現するための論理回路等（ビデオアダプタ等）を有する。
システムバス２０９は、各装置間の制御信号、データ信号等の授受を媒介する経路である。
【００２９】
次に、図３を参照しながら、管理サーバ１０１の記憶部２０２が保持する情報について説明する。図３は、記憶部２０２が保持する情報を示す図である。
【００３０】
記憶部２０２内には、データベース３０１、及び制御プログラム３９１、アプリケーションプログラム３９２等が格納されている。
【００３１】
データベース３０１は、作業者別の資格情報３１０、タグ情報３２０、通過許可資格情報３３０、通過履歴情報３４０等を有する。
資格情報３１０は、作業者別の資格情報であり、作業者ＩＤ、作業者属性情報（氏名、所属部署、靴サイズ等）、申請日、保有資格、有効期間等を有する。
タグ情報３２０は、ＩＣタグ１０と資格情報３１０を紐付けする情報であり、タグＩＤ、作業者ＩＤからなる。
通過許可資格情報３３０は、事前に、指定されたゲート通過を許可する資格情報である。
通過履歴情報３４０は、ゲート通過時の通過履歴であり、通過日時、タグＩＤ、作業者の情報、判定結果、不正通過時の撮像画像等を有する。
【００３２】
制御プログラム３９１は、管理サーバ１０１の各構成部分を駆動制御するプログラムであり、ＯＳ（オペレーティングシステム）に相当する。
アプリケーションプログラム３９２は、管理サーバ１０１が行うデータ管理手段１２０に相当する実行可能プログラムである。
【００３３】
尚、データベース３０１のデータ構成は、この構成に限られるものではない。
【００３４】
次に、図４を参照しながら、監視用の端末装置１０３、ゲート用の端末装置１１３（代表して監視用の端末装置１０３）及びタグリーダライタ１０５のハードウェア構成を説明する。図４は、監視用の端末装置１０３及びタグリーダライタ１０５のハードウェア構成図である。
【００３５】
監視用の端末装置１０３は、制御部４０１、記憶部４０２、通信制御部４０３、メディア入出力部４０４、入力部４０５、表示部４０６、印刷部４０７、送受信部４０８等が、システムバス４０９を介して接続される。
【００３６】
送受信部４０８は、監視用の端末装置１０３とタグリーダライタ１０５間の通信を媒介する通信インタフェースである。
監視用の端末装置１０３の他のハードウェア構成は、図２について前述した管理サーバ１０１と同様の構成を採る。
【００３７】
監視用の端末装置１０３、ゲート用の端末装置１１３の記憶部４０２は、ＨＤＤ（ハードディスクドライブ）であり、制御部４０１が実行するプログラム、プログラム実行に必要なデータ、ＯＳ（オペレーティングシステム）等が格納される。プログラムに関しては、ＯＳ（オペレーティングシステム）に相当する制御プログラム３９１や、監視用の端末装置１０３、ゲート用の端末装置１１３が行う資格登録手段１２１、通過許可資格設定手段１２２、通過状況表示手段１２３、情報閲覧メンテナンス手段１２４、ゲート通過手段１２５、不正通過手段１２６に相当するアプリケーションプログラム３９２等が格納されている。
【００３８】
タグリーダライタ１０５は、制御部４１１、無線送受信部４１２、送受信部４１３等が接続されて構成される。
【００３９】
制御部４１１は、各装置を駆動制御し、タグリーダライタ１０５が行う各種処理を実現する。
無線送受信部４１２は、アンテナ４１４を介して、タグリーダライタ１０５とＩＣタグ１１との間の通信を媒介する無線通信インタフェースであり、ＩＣタグ１１のメモリに記憶されている情報を受信する。
送受信部４１３は、タグリーダライタ１０５と監視用の端末装置１０３間の通信を媒介する通信インタフェースである。
尚、ゲート用端末装置１１３に接続されるタグリーダ１１５も同様の構成を採る。
【００４０】
次に、図５を参照しながら、ＩＣタグ貼付靴２０（又はＩＣタグ貼付腕章２１）に付与される、機械的に識別可能な情報記憶媒体であるＩＣタグ１０について説明する。図５は、ＩＣタグ１０を示す図である。
【００４１】
ＩＣタグ１０は、通常は金属層を積層した紙や、ＰＥＴやポリプロピレン、ポリエチレン、ポリスチレン、ナイロン等の各種材料等の基材１１に、ラミネートしたアルミ箔等の金属箔をフォトエッチングやレジスト印刷後のエッチングによりコイル状のアンテナ１２を形成し、ＩＣチップ１３を接続することにより形成する。ＩＣチップ１３は、アンテナ１２の両端部に接続する。
タグリーダライタ１０５は、ＩＣタグ１０に対して共振する呼び出し信号を発信し、数ｃｍから数十ｃｍの距離でＩＣタグ１０からの応答信号を読み、ＩＣチップ１３に記録した情報の読み取りを行う。
【００４２】
次に、図６を参照しながら、制御装置１１１のハードウェア構成を説明する。図６は、制御装置１１１のハードウェア構成図である。
【００４３】
制御装置１１１は、感知センサ１１２、警告灯１１４、カメラ１１６に接続し、制御部５０１、記憶部５０２、周辺機器Ｉ／Ｆ部５０３、通信制御部５０４等が接続されて構成される。
【００４４】
制御部５０１は、各装置を駆動制御し、感知センサ１１２、警告灯１１４、カメラ１１６に指示を出し、ゲート用端末装置１１３に送信するように制御する。
記憶部５０２には、カメラ１１６からの撮像画像等が一時的に記憶される。
周辺機器Ｉ／Ｆ部５０３は、感知センサ１１２、警告灯１１４、カメラ１１６間の通信を媒介する通信インタフェースである。
通信制御部５０４は、制御装置１１１とネットワーク１０９間の通信を媒介する通信インタフェースであり、ネットワーク１０９を介して、制御装置１１１と、ゲート用の端末装置１１３間の通信制御を行う。
【００４５】
次に、図７を参照しながら、本発明の実施形態に係る資格確認管理システム１００の全体の流れについて説明する。図７は、本発明の実施形態に係る資格確認管理システム１００の処理の流れを示す図である。
【００４６】
事前に、作業者により記入した申請書２２の内容を入力し（ステップＳ７０１）、端末装置１０３は、個人別に資格登録を行い、資格情報３１０をデータベース３０１に保持する（ステップＳ７０２）。
【００４７】
靴底を加工してＩＣタグ１０をセットし、ＩＣタグ貼付靴２０を作成する（ステップＳ７０３）。また、ＩＣタグ貼付靴２０の代替に、腕章にＩＣタグ１０をセットしＩＣタグ貼付腕章２１を作成する（ステップＳ７０３´）。
【００４８】
作業者のＩＣタグ靴２０（又はＩＣタグ貼付腕章２１）をタグリーダライタ１０５にかざし（ステップＳ７０４）、端末装置１０３は、読み取ったタグＩＤと資格情報３１０を紐付け、タグ情報３２０としてデータベース３０１に保持し（ステップＳ７０５）、資格情報３１０をＩＣタグ１０に書き込む（ステップＳ７０６）。端末装置１０３は、ジャーナルプリンタ１０４より、紐付内容をジャーナル２２に発行する（ステップＳ７０７）、ジャーナル２２とＩＣタグ貼付靴２０を個人別に配布し、本人確認する（ステップＳ７０８）。また、臨時の場合にはＩＣタグ貼付腕章２１とジャーナル２２を配布する（ステップＳ７０８´）。
【００４９】
ゲート１１０は、立ち入りを制限するセキュリティ領域入口に設置され、ゲート１１０の通過方向の床を底上げし、床下にＩＣタグ貼付靴２０用のタグリーダ１１５を設置し、床面はＩＣタグ読込み可能な材質で床フタを据え付ける。
また、臨時のＩＣタグ貼付腕章２１用のタグリーダ１１５を、ゲート両側面に
設置する。
ＩＣタグ貼付靴２０を履いた作業員がゲート通過すると（ステップＳ７０９）、床下のタグリーダ１１５によりＩＣタグ貼付靴２０のＩＣタグ１０の情報を読み取り（又は、ゲート側面のタグリーダ１１５によりＩＣタグ貼付腕章２１のＩＣタグ１０の情報を読み取り）（ステップＳ７１０、Ｓ７１０´）、ゲート近傍に設置したゲート用端末装置１１３は、読み取った情報から通過情報を表示する（ステップＳ７１１）。不正通過時、警告灯１１２を点灯し、カメラ１１６で撮像し画像ログをとる（ステップＳ７１２）。また、監視室１０２の端末装置１０３は、通過情報を表示し、通過状況を監視する（ステップＳ７１３）。
【００５０】
次に、図８を参照しながら、資格登録処理の処理手順を詳しく説明する。図８は、資格登録処理の処理手順を示すフローチャートである。
申請書に基づき、作業者毎の申請内容（作業者氏名、所属部署、靴サイズ等の作業者属性情報、申請日、保有資格、有効期間）を入力し（ステップＳ８０１）、端末装置１０３の制御部４０１は、管理サーバ１０１に対して、申請内容からなる資格情報３１０を、データベース３０１への登録要求を送信する（ステップＳ８０２）。
管理サーバ１０１の制御部２０１は、受け取った資格情報３１０をデータベース３０１に登録、保持する（ステップＳ８０３）。
【００５１】
該当する作業者のＩＣタグ貼付靴２０をタグリーダライタ１０５にかざし（ステップＳ８０４）、端末装置１０３の制御部４０１は、読み取ったタグＩＤと資格情報を紐付けした内容を、タグ情報３２０として、管理サーバ１０１に対して、データベース３０１への登録要求を送信する（ステップＳ８０５）。
管理サーバ１０１の制御部２０１は、受け取ったタグ情報３２０をデータベース３０１に登録、保持する（ステップＳ８０６）。
【００５２】
端末装置１０３の制御部４０１は、ＩＣタグ１０に、紐付した資格情報３１０を書き込み（ステップＳ８０７）、ジャーナルプリンタ１０４よりタグＩＤと資格情報を紐付けした内容である作業者氏名、靴サイズ等をジャーナル２２に印刷する（ステップＳ８０８）。
【００５３】
次に、図９を参照しながら、ゲート通過処理、監視処理の処理手順を説明する。図９は、ゲート通過処理、監視処理の処理手順を示すフローチャートである。
【００５４】
事前に、監視用の端末装置１０３の制御部４０１は、通過許可の資格を指定し（ステップＳ９０１）、管理サーバ１０１のデータベース３０１に通過許可資格情報３３０を登録、保持する（ステップＳ９０２）。
【００５５】
ゲート用の端末装置１１３の制御部４０１は、予め、データベース３０１より通過許可資格情報３３０を取得しておく（ステップＳ９０３）。
尚、本実施の形態では、指定された通過許可の資格を、管理サーバ１０１のデータベース３０１に保持し、ゲート用の端末装置１１３はこれを取得したが、これに限らない。例えば、監視用の端末装置１０３が、指定された通過許可の資格をゲート用の端末装置１１３に送信してもよい。
【００５６】
ゲート用の端末装置１１３の制御部４０１は、ゲート通過により、感知センサ１１２で信号検知したか判定する（ステップＳ９０４）。
ゲート通過の信号を検知した場合（ステップＳ９０４のＹｅｓ）、ゲート用の端末装置１１３の制御部４０１は、ゲート床下に設けるタグリーダ１１５により、ＩＣタグ貼付靴２０のＩＣタグ１０から資格情報を読み取る（ステップＳ９０５）。
制御部４０１は、読み取った資格情報と、通過許可資格情報３３０に基づき、通過資格を判定する（ステップＳ９０６）。
【００５７】
通過許可の場合（ステップＳ９０６のＯＫ）、制御部４０１は、読み取ったＩＣタグ１０の資格情報、判定結果からなる通過情報を表示し（ステップＳ９０７）、同時に、監視用の端末装置１０３に通過情報を送信する（ステップＳ９０８）。
【００５８】
不正通過の場合（ステップＳ９０６のＮＧ）、制御部４０１は、制御装置１１１を介して、警告灯１１４に点灯指示を送りライトを点灯させ警報ブザーを鳴動させ（ステップＳ９０９）、カメラ１１６にゲート通過エリアの撮像指示を送り（ステップＳ９１０）、カメラ１１６からの撮像画像を受信し（ステップＳ９１１）、読み取ったＩＣタグ１０の情報、判定結果、撮像画像等からなる不正通過情報を監視用の端末装置１０３に送信する（ステップＳ９１２）。
ゲート用の端末装置１１３の制御部４０１は、通過情報／不正通過情報に基づいて、生成した通過履歴情報３４０をデータベース３０１に保持する（ステップＳ９１３）
【００５９】
監視用の端末装置１０３の制御部４０１は、ゲート用端末装置１１３から通過状況を知らせる通過情報／不正通過情報を受信すると（ステップＳ９１４のＹｅｓ）、受信した通過情報／不正通過情報を表示する（ステップＳ９１５）。
【００６０】
また、必要に応じて、端末装置１０３の制御部４０１は、管理サーバ１０１にデータベース３０１の資格情報３１０、通過履歴情報３４０の検索、閲覧要求を送信し、取得した作業者の資格情報３１０や通過履歴情報３４０を表示する（ステップＳ９１６）。
【００６１】
以上説明したように、本発明の実施の形態によれば、事前に、端末装置１０３は、個人別に資格登録を行い、資格情報３１０をデータベース３０１に保持する。靴底にＩＣタグ１０をセットしたＩＣタグ靴２０のＩＣタグ１０をタグリーダライタ１０５にかざし、端末装置１０３は、読み取ったタグＩＤと資格情報３１０を紐付け、タグ情報３２０としてデータベース３０１に保持し、資格情報３１０をＩＣタグ１０に書き込む。端末装置１０３は、ジャーナルプリンタ１０４より、紐付内容をジャーナル２２に発行し、ジャーナル２２とＩＣタグ貼付靴２０を個人別に配布し、本人確認する。ゲート１１０の床下にＩＣタグ貼付靴２０用のタグリーダ１１５を設置し、ＩＣタグ貼付靴２０を履いた作業員がゲート通過すると、床下のタグリーダ１１５によりＩＣタグ１０を読み取り、読み取った資格情報と、通過許可資格情報３３０に基づき、通過資格を判定する。ゲート用端末装置１１３は、読み取った情報から通過情報を表示し、端末装置１０３に送信する。不正通過時、警告灯１１２を点灯し、カメラ１１６で撮像し画像ログをとる。監視室１０２の端末装置１０３は、受け取った通過情報を表示し、通過状況を監視する。
【００６２】
これにより、ＩＣタグ貼付靴を用いることにより、本人以外がＩＣタグを使用することが大幅に削減され、ＩＣタグ自体が、保持者の本人確認をすることができ、不正な使用を防ぐことができる。また、ＩＣタグカードを携帯する必要がなく、従来の煩わしさから開放される。
また、部外者の不正通過を確実に監視でき、ゲート通過時、通過者の情報を即座に表示でき、且つ、警報を発し、不正通過者のカメラ撮影することができるセキュリティ性に優れることを可能とする。
【００６３】
尚、図７乃至図９等に示す処理を行うプログラムはＣＤ−ＲＯＭ等の記録媒体に保持させて流通させてもよいし、このプログラムを通信回線を介して送受することもできる。
【００６４】
以上、添付図面を参照しながら、本発明に係る資格確認管理システム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００６５】
【図１】本発明の本実施の形態に係る資格確認管理システム１００の概略構成を示す図
【図２】管理サーバ１０１のハードウェア構成図
【図３】記憶部２０２が保持する情報を示す図
【図４】監視用の端末装置１０３及びタグリーダライタ１０５のハードウェア構成図
【図５】ＩＣタグ１０を示す図
【図６】制御装置１１１のハードウェア構成図
【図７】本発明の実施形態に係る資格確認管理システム１００の処理の流れを示す図
【図８】資格登録処理の処理手順を示すフローチャート
【図９】ゲート通過処理、監視処理の処理手順を示すフローチャート
【符号の説明】
【００６６】
１００………資格確認管理システム
１０１………管理サーバ
１０３、１１３………端末装置
１０４………ジャーナルプリンタ
１０５………タグリーダライタ
１０９………ネットワーク
１１１………制御装置
１１２………感知センサ
１１４………警告灯
１１５………タグリーダ
１１６………カメラ
１２０………データ管理手段
１２１………資格登録手段
１２２………通過許可資格設定手段
１２３………通過状況表示手段
１２４………情報閲覧メンテナンス手段
１２５………ゲート通過手段
１２６………不正通過手段
２０１、４０１、４１１………制御部
２０２、５０２………記憶部
４０３、４１３………送受信部
２０４、４０４………通信制御部
３０１………情報データベース
３１０………資格情報
３２０………タグ情報
３３０………通過許可資格情報
３４０………通過履歴情報
１０………ＩＣタグ
２０………ＩＣタグ貼付靴
２１………ＩＣタグ貼付腕章
２２………ジャーナル
【図１】
2008243133.tif 000003
【図２】
2008243133.tif 000004
【図３】
2008243133.tif 000005
【図４】
2008243133.tif 000006
【図５】
2008243133.tif 000007
【図６】
2008243133.tif 000008
【図７】
2008243133.tif 000009
【図８】
2008243133.tif 000010
【図９】
2008243133.tif 000011